(57)【要約】【課題】本発明の目的は、作業現場で働く作業員の管理に好適な管理システム及び管理方法を提供することである。【解決手段】本発明による管理システム（１）は、保護帽（６）に取り付けられたＲＦＩＤチップ（７）と、前記ＲＦＩＤチップから前記ＲＦＩＤチップに記憶された識別情報を読み取る読み取り装置（３）と、前記識別情報が予め登録された登録識別情報（３２１）と一致した場合に本管理システムへのログインを許可する認証部（２０４）とを具備している。したがって、キーボードから識別情報を入力しなくてもログイン認証が可能である。また、ＲＦＩＤチップを保護帽に取り付けることとすれば、保護帽は現場で必ずかぶるものであるから、ログイン認証に必要なＲＦＩＤチップを携帯していない状況が回避される。【選択図】図１
2007310699.tif 000002
【特許請求の範囲】
【請求項１】
保護帽に取り付けられたＲＦＩＤチップと、
前記ＲＦＩＤチップから前記ＲＦＩＤチップに記憶された識別情報を読み取る読み取り装置と、
前記識別情報が予め登録された登録識別情報と一致した場合に、本管理システムへのログインを許可する認証部と
を具備する
管理システム。
【請求項２】
個人情報データと、アクセス権設定データと、入構者管理テーブルとを記憶した記憶装置と、
検出部と、
表示装置と、
前記表示装置の表示面を覆うように設けられた透光性と接触検知機能とを有するタッチパネルと
を具備し、
前記個人情報データは、作業員の氏名及び就業期間の情報を含み、
前記アクセス権設定データは、前記識別情報でログインする者が前記個人情報データへのアクセス権を有することを設定し、
前記入構者管理テーブルは、本日出勤した者を入構者として登録し、
前記認証部は、前記識別情報が前記登録識別情報と一致した場合に前記個人情報データへのアクセスを許可し、
前記検出部は、前記本日が前記就業期間に含まれる場合に前記個人情報データを検出し、
前記表示装置は、前記個人情報データに基づいて、前記氏名と、前記作業員が前記本日に出勤したことを入力するためのボタンとを表示する出勤登録画面を前記表示面に表示し、
前記タッチパネルは、前記ボタンが表示された前記表示面上の領域と重なった部分への接触を検出し、
前記記憶装置は、前記接触が検出されたことに応答し、前記作業員を前記入構者として前記入構者管理テーブルに追加して記憶する
請求項１の管理システム。
【請求項３】
前記入構者管理テーブルを参照し、前記入構者の人数を検出する入構者数検出部を具備し、
前記表示装置は、本管理システムに前記識別情報でログインをしている者がいない場合に前記人数を表示する
請求項２の管理システム。
【請求項４】
個人情報データと、通知期間設定データとを記憶した記憶装置と、
所定の警告を表示すべき期間としての通知期間を設定する通知期間設定部と、
本日が前記通知期間に含まれるか否かを判定する判定部と、
前記本日が前記通知期間に含まれる場合に前記警告を表示する表示装置と
を具備し、
前記個人情報データは、作業員が健康診断を受診した受診日の情報を含み、
前記通知期間設定データは、第１期間、第２期間、及び前記通知期間のそれぞれの長さを設定し、
前記通知期間設定部は、
前記受診日と前記第１期間の初日とが同日となるように前記第１期間を定め、
前記第１期間の末日と前記第２期間の末日とが同日となるように前記第２期間を定め、
前記第２期間の初日と前記通知期間の初日とが同日となるように前記通知期間を定める
請求項１の管理システム。
【請求項５】
保護帽に取り付けられたＲＦＩＤチップから識別情報を読み取るステップと、
前記識別情報と予め登録された登録識別情報とが一致するか否かを判定するステップと、
前記識別情報と前記登録識別情報とが一致した場合に、所定のシステムへのログインを許可するステップと
を具備する
管理方法。
【請求項６】
前記識別情報でログインする者が作業員の氏名及び就業期間の情報を含む個人情報データへのアクセス権を有すことを設定したアクセス権設定データに基づき、前記識別情報と前記登録識別情報とが一致した場合に、前記個人情報データへのアクセスを許可するステップと、
本日が前記就業期間に含まれる場合に前記個人情報データを検出するステップと、
前記個人情報データに基づき、前記氏名と、前記作業員が前記本日に出勤したことを入力するためのボタンとを表示する出勤登録画面をタッチパネルディスプレイの表示面に表示するステップと、
前記表示面を覆うように設けられた透光性と接触検知機能とを有するタッチパネルが、前記ボタンが表示された前記表示面上の領域と重なった部分への接触を検出するステップと、
前記接触が検出されたことに応答し、前記作業員を前記本日に出勤した入構者として入構者管理テーブルに追加して記憶するステップと
を具備する
請求項５の管理方法。
【請求項７】
前記入構者管理テーブルを参照して前記入構者の人数を検出するステップと、
前記システムに前記識別情報でログインしている者がいない場合に、前記人数を表示するステップと
を具備する
請求項６の管理方法。
【請求項８】
作業員が健康診断を受診した受診日の情報を含む個人情報データから前記受診日を検出するステップと、
所定の長さを有する第１期間の初日と前記受診日とが同日となるように前記第１期間を定めるステップと、
所定の長さを有する第２期間の末日と前記第１期間の末日とが同日となるように前記第２期間を定めるステップと
所定の長さを有する通知期間の初日と前記第２期間の初日とが同日となるように前記通知期間を定めるステップと、
本日が前記通知期間に含まれるか否かを判定するステップと、
前記本日が前記通知期間に含まれる場合に、警告を表示するステップと
を具備する
請求項５の管理方法。
【請求項９】
前記システムは、第１個人情報データと、第２個人情報データとを記憶した記憶装置を備え、
前記第１個人情報データは、第１会社に所属する者の第１氏名の情報を含み、
前記第２個人情報データは、第２会社に所属する者の第２氏名の情報と、前記第１会社が前記第２会社に下請けを出している一次業者であることの情報とを含み、
表示装置が、第１安全衛生責任者の氏名が前記第１氏名であることと、前記第１安全衛生責任者の直接の下位者である第２安全衛生責任者の氏名を入力するための入力領域とを表示する体制表作成画面を表示面に表示するステップと、
前記表示面を覆うように設けられた透光性と接触検知機能とを有するタッチパネルが、前記入力領域が表示された前記表示面上の領域と重なった部分への接触を検出するステップと、
前記第２個人データが前記第１会社を前記一次業者として登録している場合に、前記第２個人データを検出するステップと、
前記表示面が、前記第２氏名を表示するステップと、
前記タッチパネルが、前記第２氏名が表示された前記表示面上の領域と重なった部分への接触を検出するステップと、
前記第１安全衛生責任者の氏名が前記第１氏名であることと、前記第２安全衛生責任者の氏名が前記第２氏名であることと、前記第２安全衛生責任者が前記第１安全衛生責任者の直接の下位者であることとを示す安全衛生管理体制表データを記憶するステップと
を具備する
請求項５の管理方法。
【請求項１０】
前記第２個人情報データが、前記第２会社に所属する者が安全衛生責任者となる資格を有していることを示す資格情報を含んでいるか否かを判定するステップを具備し、
前記第２氏名を表示するステップにおいては、前記第２個人情報データが前記資格情報を含んでいる場合に限って、前記第２氏名を表示する
請求項９の管理方法。
【発明の詳細な説明】
【技術分野】
【０００１】
本発明は、人員を管理するシステム及び方法に関する。
【背景技術】
【０００２】
建設現場等で働く作業員を管理するための管理システムが知られている。
【０００３】
特許文献１は、このような管理システムの一つとして、ＩＣタグを用いて低コストで建設現場における工程進捗状況や作業員の就業状況などの作業状況の管理を行う建設現場管理システムを開示している。この建設現場管理システムは、建設現場の各空間に設置されたＩＣタグリーダが、資材、工具、作業員等の要素に取り付けられたＩＣタグから読み取ったタグＩＤと、ＩＣタグリーダが設置された空間を示す空間ＩＤと、読み取り時刻とを示す情報を収集し、各要素の各空間への入退場時刻に基づいて各空間における作業状況を管理するものである。
【０００４】
一方、ユニバーサルデザインの概念をとり入れて、キーボードやマウスの代わりにタッチパネルディスプレイを用いて入力操作を行うことにより、誰にでも容易に使用できるようにしたコンピュータが登場している。
【０００５】
作業員を管理するための管理システムは、コンピュータについての専門的な知識や経験を持たない者が職務上使用するものであるから、ユニバーサルデザインを採用することが好ましい。
【特許文献１】特開２００５−３２６９６５号公報
【発明の開示】
【発明が解決しようとする課題】
【０００６】
本発明の目的は、作業現場で働く作業員の管理に好適な管理システム及び管理方法を提供することである。
【課題を解決するための手段】
【０００７】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００８】
本発明による管理システム（１）は、保護帽（６）に取り付けられたＲＦＩＤチップ（７）と、前記ＲＦＩＤチップから前記ＲＦＩＤチップに記憶された識別情報を読み取る読み取り装置（３）と、前記識別情報が予め登録された登録識別情報（３２１）と一致した場合に本管理システムへのログインを許可する認証部（２０４）とを具備している。
【０００９】
したがって、キーボードから識別情報を入力しなくてもログイン認証が可能である。また、ＲＦＩＤチップを保護帽に取り付けることとすれば、保護帽は現場で必ずかぶるものであるから、ログイン認証に必要なＲＦＩＤチップを携帯していない状況が回避される。また、ＲＦＩＤチップを保護帽に貼付することとすれば、ＲＦＩＤチップが作業の邪魔になることが確実に防がれる。
【００１０】
本発明による管理システムは、個人情報データ（３３１、３３２、３３３、３３４）と、アクセス権設定データ（３２０）と、入構者管理テーブル（３４）とを記憶した記憶装置（２１）と、検出部（２０８）と、表示装置（２０２）と、前記表示装置の表示面を覆うように設けられた透光性と接触検知機能とを有するタッチパネル（２０１）とを具備してもよい。ここで、前記個人情報データは、作業員の氏名及び就業期間の情報（３０１、３０６）を含んでいる。前記アクセス権設定データは、前記識別情報でログインする者が前記個人情報データへのアクセス権を有することを設定している。前記入構者管理テーブルは、本日出勤した者を入構者として登録している。前記認証部は、前記識別情報が前記登録識別情報と一致した場合に前記個人情報データへのアクセスを許可する。前記検出部は、前記本日が前記就業期間に含まれる場合に前記個人情報データを検出する。前記表示装置は、前記個人情報データに基づいて、前記氏名と、前記作業員が前記本日に出勤したことを入力するためのボタン（８１０）とを表示する出勤登録画面（４３）を前記表示面に表示する。前記タッチパネルは、前記ボタンが表示された前記表示面上の領域と重なった部分への接触を検出する。前記記憶装置は、前記接触が検出されたことに応答し、前記作業員を前記入構者として前記入構者管理テーブルに追加して記憶する。
【００１１】
表示装置とタッチパネルとを有するタッチパネルディスプレイを用いた入力操作が可能であるため、本管理システムを使用することは容易である。また、ログインした者がアクセス可能なデータを予め設定しておくことで、ログインした者の下位者の氏名だけが出勤登録画面に表示されるようにすることができる。また、本日が就業期間に含まれる作業員、すなわち本日出勤予定の作業員の氏名だけが出勤登録画面に表示されるようにすることができる。
【００１２】
本発明による管理システムは、前記入構者管理テーブルを参照し、前記入構者の人数を検出する入構者数検出部（２０８）を具備てもよい。前記表示装置は、本管理システムに前記識別情報でログインをしている者がいない場合に前記人数を表示する。
【００１３】
したがって、本日の入構者の人数を迅速に確認することが可能である。
【００１４】
本発明による管理システムは、個人情報データ（３３１、３３２、３３３、３３４）と、通知期間設定データ（３７）とを記憶した記憶装置（２１）と、所定の警告（９２２）を表示すべき期間としての通知期間を設定する通知期間設定部（２１０）と、本日が前記通知期間に含まれるか否かを判定する判定部（２０９）と、前記本日が前記通知期間に含まれる場合に前記警告を表示する表示装置（２０２）とを具備してもよい。ここで、前記個人情報データは、作業員が健康診断を受診した受診日の情報（３０７）を含んでいる。前記通知期間設定データは、第１期間、第２期間、及び前記通知期間のそれぞれの長さを設定している。そして、前記通知期間設定部は、前記受診日と前記第１期間の初日とが同日となるように前記第１期間を定め、前記第１期間の末日と前記第２期間の末日とが同日となるように前記第２期間を定め、前記第２期間の初日と前記通知期間の初日とが同日となるように前記通知期間を定める。
【００１５】
したがって、前回受診した健康診断の有効期間としての第１期間が満了する直前の期間である第２期間のうちの最初の期間としての通知期間にしか警告が表示されない。したがって、この警告を見た者は、その日のうちに該当者に対して健康診断を受診するように通知しようとする。人は明日も警告が表示される場合にはその警告に対応することを明日に延ばす傾向があるから、警告の表示をする期間を限定することにより警告に対して迅速に対応させることが可能となる。
【００１６】
本発明による管理方法は、保護帽（６）に取り付けられたＲＦＩＤチップ（７）から識別情報を読み取るステップ（Ｓ１）と、前記識別情報と予め登録された登録識別情報（３２１）とが一致するか否かを判定するステップ（Ｓ２）と、前記識別情報と前記登録識別情報とが一致した場合に、所定のシステム（１）へのログインを許可するステップ（Ｓ３）とを具備している。
【００１７】
本発明による管理方法は、前記識別情報でログインする者が作業員の氏名及び就業期間の情報（３０１、３０６）を含む個人情報データ（３３１、３３２、３３３、３３４）へのアクセス権を有すことを設定したアクセス権設定データ（３４０）に基づき、前記識別情報と前記登録識別情報とが一致した場合に、前記個人情報データへのアクセスを許可するステップ（Ｓ３）と、本日が前記就業期間に含まれる場合に前記個人情報データを検出するステップ（Ｓ４）と、前記個人情報データに基づき、前記氏名と、前記作業員が前記本日に出勤したことを入力するためのボタン（８１０）とを表示する出勤登録画面（４３）をタッチパネルディスプレイ（２０）の表示面に表示するステップ（Ｓ５）と、前記表示面を覆うように設けられた透光性と接触検知機能とを有するタッチパネル（２０１）が、前記ボタンが表示された前記表示面上の領域と重なった部分への接触を検出するステップ（Ｓ６）と、前記接触が検出されたことに応答し、前記作業員を前記本日に出勤した入構者として入構者管理テーブルに追加して記憶するステップ（Ｓ７）とを具備してもよい。
【００１８】
本発明による管理方法は、前記入構者管理テーブルを参照して前記入構者の人数を検出するステップ（Ｓ１６）と、前記システムに前記識別情報でログインしている者がいない場合に、前記人数を表示するステップ（Ｓ１７）とを具備してもよい。
【００１９】
本発明による管理方法は、作業員が健康診断を受診した受診日の情報（３０７）を含む個人情報データ（３３１、３３２、３３３、３３４）から前記受診日を検出するステップ（Ｓ２１）と、所定の長さを有する第１期間の初日と前記受診日とが同日となるように前記第１期間を定めるステップ（Ｓ２２）と、所定の長さを有する第２期間の末日と前記第１期間の末日とが同日となるように前記第２期間を定めるステップ（Ｓ２３）と所定の長さを有する通知期間の初日と前記第２期間の初日とが同日となるように前記通知期間を定めるステップ（Ｓ２４）と、本日が前記通知期間に含まれるか否かを判定するステップ（Ｓ２５）と、前記本日が前記通知期間に含まれる場合に、警告を表示するステップ（Ｓ２７）とを具備してもよい。
【００２０】
本発明による管理方法においては、前記システムは、第１個人情報データ（３３１）と、第２個人情報データ（３３２）とを記憶した記憶装置（２１）を備えていてもよい。ここで、前記第１個人情報データは、第１会社に所属する者の第１氏名の情報（３０１）を含んでいる。前記第２個人情報データは、第２会社に所属する者の第２氏名の情報（３０１）と、前記第１会社が前記第２会社に下請けを出している一次業者であることの情報（３０４）とを含んでいる。本発明による管理方法は、表示装置（２０２）が、第１安全衛生責任者の氏名が前記第１氏名であることと、前記第１安全衛生責任者の直接の下位者である第２安全衛生責任者の氏名を入力するための入力領域（９１２）とを表示する体制表作成画面（４７）を表示面に表示するステップ（Ｓ８）と、前記表示面を覆うように設けられ、透光性と接触検知機能とを有するタッチパネル（２０１）が、前記入力領域が表示された前記表示面上の領域と重なった部分への接触を検出するステップ（Ｓ９）と、前記第２個人データが前記第１会社を前記一次業者として登録している場合に前記第２個人データを検出するステップ（Ｓ１０）と、前記表示面が、前記第２氏名を表示するステップ（Ｓ１２）と、前記タッチパネルが、前記第２氏名が表示された前記表示面上の領域（９１４）と重なった部分への接触を検出するステップと、前記第１安全衛生責任者の氏名が前記第１氏名であることと、前記第２安全衛生責任者の氏名が前記第２氏名であることと、前記第２安全衛生責任者が前記第１安全衛生責任者の直接の下位者であることとを示す安全衛生管理体制表データ（３６）を記憶するステップ（Ｓ１４）とを具備している。
【００２１】
したがって、キーボードを使用しないで工事安全衛生管理体制表を作成することが可能である。工事安全衛生管理体制表により工事の体制が明確化されるため、業者間の意思の疎通が図られ、災害が未然に防がれる。
【００２２】
本発明による管理方法は、前記第２個人情報データが、前記第２会社に所属する者が安全衛生責任者となる資格を有していることを示す資格情報（３０５）を含んでいるか否かを判定するステップ（Ｓ１１）を具備してもよい。この場合、前記第２氏名を表示するステップにおいては、前記第２個人情報データが前記資格情報を含んでいる場合に限って、前記第２氏名を表示する。
【００２３】
したがって、不必要な情報が表示されることが防がれる。
【発明の効果】
【００２４】
本発明によれば、作業現場で働く作業員の管理に好適な管理システム及び管理方法が提供される。
【発明を実施するための最良の形態】
【００２５】
添付図面を参照して、本発明による管理システム及び管理方法を実施するための最良の形態を以下に説明する。
【００２６】
図１は、本発明の実施形態に係る管理システム１を示している。管理システム１は、情報処理装置２と、ＲＦＩＤ読み取り装置３と、プリンタ４と、ＲＦＩＤチップ７が取り付けられた責任者カード５と、ＲＦＩＤチップ７が取り付けられた保護帽６とを備えている。ＲＦＩＤ読み取り装置３及びプリンタ４はそれぞれ情報処理装置２に接続されている。ここで、ＲＦＩＤは、Ｒａｄｉｏ Ｆｒｅｑｕｅｎｃｙ Ｉｄｅｎｔｉｆｉｃａｔｉｏｎの略語である。ＲＦＩＤ読み取り装置３は、非接触でＲＦＩＤチップ７と交信してＲＦＩＤチップ７に記憶された識別情報を読み取る。ＲＦＩＤ読み取り装置３は、電池を備えていてもよいが、ＲＦＩＤ読み取り装置３から電磁誘導により電力が供給される場合には電池が不要である。なお、名前が記載されたラベルにＲＦＩＤチップ７を組み込み、保護帽６に貼付することとすれば、ＲＦＩＤチップ７が作業の邪魔になることが防がれる。
【００２７】
図２は、情報処理装置２のブロック図を示している。情報処理装置２としては、タッチパネルディスプレイ２０を備えたタブレット型のパーソナルコンピュータが例示される。タッチパネルディスプレイ２０は、表示装置２０２と、表示装置２０２の表示面を覆うように設けられた透光性と接触検知機能とを有するタッチパネル２０１と、これらを制御する制御部２０３とを備えている。キーボードやマウスを使わないで情報処理装置２を操作することが可能であるため、これまでパソコンを使用した経験が少ない人でも容易に情報処理装置２を操作することが可能である。
【００２８】
情報処理装置２は、記憶装置２１と、認証部２０４と、日付け出力部２０５と、画像データ生成部２０６と、安全衛生管理体制表データ生成部２０７と、検出部２０８と、判定部２０９と、通知期間設定部２１０とを具備している。記憶装置２１は、プログラム３０と、アクセス権設定テーブル３２と、個人情報テーブル３３と、入構者管理テーブル３４と、類似災害データ３５と、安全衛生管理体制表データ３６と、通知期間設定データ３７と、入構基準データ３８とを記憶する。情報処理装置２は、後に説明するようにプログラム３０に従って動作する。
【００２９】
図３は、個人情報テーブル３３のデータ構成を示している。個人情報テーブル３３は、現地で働く各作業員ごとに、個人情報データ３３１〜３３４を有している。個人情報データのそれぞれは、氏名を示す情報３０１と、年齢を示す情報３０２と、所属会社の会社名を示す情報３０３と、所属会社に下請けを出している一次業者名を示す情報３０４と、安全衛生責任者となる資格の有無を示す情報３０５と、就業期間を示す情報３０６と、最後に健康診断を受診した受診日を示す情報３０７と、血圧を数値で示す情報３０８と、視力を数値で示す情報３０９と、握力を数値で示す情報３１０と、聴力を数値で示す情報３１１とを含んでいる。
【００３０】
図４は、アクセス権設定テーブル３２のデータ構成を示している。アクセス権設定テーブル３２は、情報処理装置２にログインする権限を有する者ごとにアクセス権設定データ３２０を有している。アクセス権設定データ３２０は、情報処理装置２にログインする権限を有する者を識別するための登録識別情報３２１と、その者がアクセスする権限を有するデータを定めたアクセス許可情報３２２とを含んでいる。
【００３１】
図５は、入構者管理テーブル３４のデータ構成を示している。入構者管理テーブル３４は、各作業員の出勤日ごとに入構者管理データ３４０を有している。入構者管理データ３４０は、作業員の氏名情報３４１と、その作業員が出勤した日を示す出勤日情報３４２と、その出勤した日の弁当の注文の有無を示す弁当注文情報３４３とを含んでいる。
【００３２】
図６は、通知期間設定データ３７のデータ構成を示している。通知期間設定データ３７は、第１期間の長さを示す情報３７１と、第２期間の長さを示す情報３７２と、第３期間の長さを示す情報３７３とを含んでいる。ここで、第１期間は健康診断の有効期間に対応し、第２期間は有効期間の一部であって有効期間が切れる直前の期間に対応し、第三期間は健康診断の受診を促すように警告を発すべき通知期間に対応する。
【００３３】
図７は、入構基準データ３８のデータ構成を示している。入構基準データ３８が含む入構基準情報３８１〜３８５は、年齢、血圧、視力、握力、聴力のそれぞれについて入構が許可される範囲を示している。
【００３４】
図２３及び図２４は、管理システム１がプログラム３０に従って実行する本発明の実施形態に係る管理方法のフローチャートを示している。以下、表示装置２０２が表示する画面を示す図８〜図２２を参照しながら、管理方法について説明する。
【００３５】
はじめに図２３に示されたステップＳ１〜１７について説明する。
【００３６】
（ステップＳ１）
はじめ、表示装置２０２は初期画面４１を表示している。初期画面４１は図８に示されている。初期画面４１は、「責任者カード」ボタン８０１と、「本日の入構者数」ボタン８０２とを含んでいる。ここで、ボタン８０１と重なったタッチパネル２０１の部分に接触があると、タッチパネル２０１はそのことを検出する。以下、このことを「タッチパネル２０１がボタン（領域）への接触を検出する」のように記載する。タッチパネル２０１がボタン８０１への接触を検出すると、ＲＦＩＤ読み取り装置３は、情報処理装置２にログインするための識別情報を読み取ることが可能な状態になる。次に、ＲＦＩＤ読み取り装置３は、責任者カード５又は保護帽６に取り付けられたＲＦＩＤチップ７に近づけられて、ＲＦＩＤチップ７に記憶された識別情報を読み取る。ＲＦＩＤ読み取り装置３が識別情報を読み取るとステップＳ２に進む。
【００３７】
（ステップＳ２）
認証部２０４は、読み取られた識別情報と予め登録された登録識別情報３２１とが一致するか否かを判定する。読み取られた識別情報と登録識別情報３２１とが一致した場合には、ステップＳ３に進む。
【００３８】
（ステップＳ３）
認証部２０４は、情報処理装置２へのログインと、アクセス許可情報３２２によって定められたデータへのアクセスとを許可する。ログインが許可されると表示装置２０２は、メニュー画面４２を表示する。メニュー画面４２は図９に示されている。メニュー画面４２は、ログインした者の「会社名称」、「就業期間」、「氏名」を表示する領域９０１と、「出勤・昼食」ボタン８０３と、「作業者一覧」ボタン８０４と、「個人情報」ボタン８０５と、「作業終了」ボタン８０６と、「類似災害」ボタン８０７と、「体制表作成」ボタン８０８と、「閉じる」ボタン８０９とを含んでいる。ここで、タッチパネル２０１がボタン８０３への接触を検出すると、ステップＳ４に進む。なお、タッチパネル２０１がボタン８０９のような「閉じる」ボタンへの接触を検出すると、情報処理装置２はログアウトを実行する。
【００３９】
（ステップＳ４）
検出部２０８は、日付け出力部２０５が出力する本日の日付けを示す情報に基づき、個人情報テーブル３３を参照して本日が情報３０６の示す就業期間内に含まれる個人情報データを検出する。このとき、検出部２０８は、アクセス権設定テーブル３２によってアクセスが許可された個人情報データだけを参照することができる。画像データ生成部２０６は、本日の日付けを示す情報と検出された個人情報データから出勤・昼食登録画面４３のデータを生成する。
【００４０】
（ステップＳ５）
表示装置２０２は、画像データ生成部２０６が生成したデータに基づいて出勤・昼食登録画面４３を表示する。出勤・昼食登録画面４３は図１０に示されている。出勤・昼食登録画面４３は、本日の日付けを示す「Ｈ１８．４．３」を表示する領域９０２と、情報３０１が示す氏名を表示する領域９０３と、出勤日を表示する領域９０４と、弁当の注文をしたかどうかを表示する領域９０５と、「出勤」ボタン８１０と、「弁当」ボタン８１１と、「次へ」ボタン８１２と、「メニュー」ボタン８１３と、「閉じる」ボタン８１４とを含んでいる。
【００４１】
（ステップＳ６）
ここで、タッチパネル２０１が「出勤」ボタン８１０への接触を検出すると、ステップＳ７へ進む。
【００４２】
（ステップＳ７）
表示装置２０２は、ステップＳ６における検出に応答して領域９０４に本日の日付けを表示する。記憶装置２１は、ステップＳ６における検出に応答して、氏名情報３４１として情報３０１が示す氏名を有し、出勤日情報３４２として本日の日付けを有する入構者管理データ３４０を入構者管理テーブル３４に追加して記憶する。これにより、本日出勤した者が登録される。
【００４３】
また、タッチパネル２０１が「弁当」ボタン８１１への接触を検出すると、表示装置２０２は領域９０５に弁当を注文したことを表示し、記憶装置２１は、弁当を注文したことを示す情報を入構者管理データ３４０の弁当注文情報３４３に追加する。
【００４４】
ここで、出勤・昼食登録画面４３は、一画面に数人分の情報を表示する。タッチパネル２０１が「次へ」ボタン８１２への接触を検出すると、表示装置２０２は次の数人分についての出勤・昼食登録画面４３を表示する。
【００４５】
タッチパネル２０１が「メニュー」ボタン８１３への接触を検出すると、表示装置２０２はメニュー画面４２を表示する。なお、タッチパネル２０１がボタン８１３以外の「メニュー」ボタンへの接触を検出した場合も表示装置２０２はメニュー画面４２を表示する。タッチパネル２０１が「個人情報」ボタン８０５への接触を検出すると、表示装置２０２は個人情報表示画面４４を表示する。
【００４６】
図１１は、個人情報表示画面４４を示している。個人情報表示画面４４のデータは、画像データ生成部２０６が個人情報データ３３１に基づいて生成したものである。個人情報表示画面４４は、「氏名」、「会社名」、「一次業者名」、「就業期間」、「健康診断受診日」、「血圧」、「視力」、「握力」、「聴力」を表示する領域９０６と、肖像写真の画像を表示する領域９０７と、「次へ」ボタン８１５と、「印刷」ボタン８１６と、「メニュー」ボタン８１７と、「閉じる」ボタン８１８とを含んでいる。
【００４７】
タッチパネル２０１が「次へ」ボタン８１５への接触を検出すると、表示装置２０２は個人情報データ３３２に基づいて生成されたデータに基づいて個人情報表示画面４４と同様の画面を表示する。タッチパネル２０１がボタン８１６のような「印刷」ボタンへの接触を検出すると、プリンタ４は、そのとき表示装置２０２が表示している画面を印刷する。したがって、タッチパネル２０１がボタン８１６への接触を検出すると、プリンタ４は個人情報表示画面４４を印刷する。タッチパネル２０１がボタン８１７への接触を検出すると、表示装置２０２はメニュー画面４２を表示する。
【００４８】
情報処理装置２は、作業員に対する安全教育のために利用される場合もある。
【００４９】
タッチパネル２０１がボタン８０７への接触を検出すると、表示装置２０２は類似災害検索画面４５を表示する。図１２は、類似災害検索画面４５を示している。類似災害検索画面４５は、災害区分が表示された「災害区分選択」ボタン８１９と、「メニュー」ボタン８２０と、「閉じる」ボタン８２１とを含んでいる。
【００５０】
タッチパネル２０１が「挟まれ・巻きこまれ」と表示されたボタン８１９への接触を検出すると、表示装置２０２は類似災害データ３５に基づいて類似災害表示画面４６を表示する。図１３は、類似災害表示画面４６を示している。類似災害表示画面４６は、災害の型が「挟まれ・巻き込まれ」に区分される災害事例を表示している。類似災害表示画面４６は、この災害事例についての「災害の型」、「発生日時」、「発生場所」、「発生要因」、「災害名」、及び、受傷者の「受傷程度」、「年齢」、「経験年数」を表示する領域９０８と、この災害事例についての理解を助けるための図又は写真のようなイメージを表示する領域９０９と、「詳細」ボタン８２２と、「次へ」ボタン８２３と、「印刷」ボタン８２４と、「メニュー」ボタン８２５と、「閉じる」ボタン８２６とを含んでいる。
【００５１】
タッチパネル２０１が領域９０９への接触を検出すると、表示装置２０２は、領域９０９が表示するイメージを拡大して表示するために領域９０９を拡大して表示する。領域９０９が拡大された状態でタッチパネル２０１が領域９０９への接触を検出すると、表示装置２０２は領域９０９を元の大きさで表示する。
【００５２】
タッチパネル２０１が「詳細」ボタン８２２への接触を検出すると、表示装置２０２は類似災害表示画面４６が表示している災害事例についての詳細な情報を類似災害データ３５に基づいて表示する。タッチパネル２０１が「次へ」ボタン８２３への接触を検出すると、表示装置２０２は他の災害事例について類似災害表示画面４６と同様の画面を表示する。タッチパネル２０１が「メニュー」ボタン８２５への接触を検出すると、表示装置２０２はメニュー画面４２を表示する。タッチパネル２０１がボタン８０８への接触を検出すると、ステップＳ８へ進む。
【００５３】
（ステップＳ８）
表示装置２０２は、工事安全衛生管理体制表を作成するための画面である体制表作成画面４７を表示する。体制表作成画面４７は図１４に示されている。体制表作成画面４７は、第１の安全衛生責任者の氏名が表示される領域９１０と、第１の安全衛生責任者が所属する会社名が表示される領域９１１と、第１の安全衛生責任者の直接の下位者である第２の安全衛生責任者の氏名が表示される領域９１２と、第２の安全衛生責任者が所属する会社名が表示される領域９１３と、「印刷」ボタン８２７と、「メニュー」ボタン８２８と、「閉じる」ボタン８２９とを含んでいる。
【００５４】
ここで、領域９１０には個人情報データ３３１の情報３０１に基づいて氏名「○○○○」が表示され、領域９１１には個人情報データ３３１の情報３０３に基づいて「Ａ社」が表示されている。
【００５５】
（ステップＳ９）
タッチパネル２０１が領域９１２への接触を検出すると、ステップＳ１０に進む。
【００５６】
（ステップＳ１０）
検出部２０８は、個人情報テーブル３３を参照し、一次業者名を示す情報３０４が領域９１１に表示された「Ａ社」を示している個人情報データ３３２及び個人情報データ３３３を検出する。
【００５７】
（ステップＳ１１）
判定部２０９は、個人情報データ３３２及び個人情報データ３３３について、情報３０５が安全衛生責任者となる資格を有することを示しているか否かを判定する。ここで、個人情報データ３３２及び個人情報データ３３３の情報３０５は、ともに安全衛生責任者となる資格を有することを示している。
【００５８】
（ステップＳ１２）
表示装置２０２は、図１５に示されるように、個人情報データ３３２の情報３０１が示す氏名「××××」を領域９１４に、個人情報データ３３３の情報３０１が示す氏名「△△△△」を領域９１５に、第２の安全衛生責任者の候補者の氏名として体制表作成画面４７の上に重ねて表示する。
【００５９】
（ステップＳ１３）
タッチパネル２０１が領域９１４への接触を検出すると、表示装置２０２は、図１６に示されるように、氏名「××××」を領域９１２に表示し、所属会社名を示す情報として個人情報データ３３２の情報３０３が示す会社名「Ｂ社」を領域９１３に表示し、ステップＳ１４に進む。
【００６０】
（ステップＳ１４）
安全衛生管理体制表データ生成部２０７は、第１の安全衛生責任者の氏名が個人情報データ３３１に登録された「○○○○」であることと、第１の安全衛生責任者の直接の下位者である第２の安全衛生責任者の氏名が個人情報データ３３２に登録された「××××」であることとを示す安全衛生管理体制表データ３６を生成する。記憶装置２１は、安全衛生管理体制表データ３６を記憶する。
【００６１】
（ステップＳ１５）
タッチパネル２０１が「閉じる」ボタン８２９への接触を検出すると、情報処理装置２はログアウトを実行し、表示装置２０２は初期画面４１を表示する。
【００６２】
タッチパネル２０１が「本日の入構者数」ボタン８０２への接触を検出すると、ステップＳ１６に進む。
【００６３】
（ステップＳ１６）
検出部２０８は、入構者管理テーブル３４及び個人情報テーブル３３を参照し、本日の入構者の総数と、会社ごとの入構者数とを検出する。ここで、検出部２０８は、入構者管理テーブル３４を参照することで本日の入構者の氏名を検出する。また、検出部２０８は、個人情報テーブル３３を参照することで本日の入構者が所属する会社名を検出する。したがって、検出部２０８は、本日の入構者数の総数と、会社ごとの入構者数とを検出することができる。なお、検出部２０８は本日の日付けを示すデータを日付け出力部２０５から受信する。
【００６４】
画像データ生成部２０６は、日付け出力部２０５が出力する本日の日付けと、検出部２０８が検出した本日の入構者の総数と、会社ごとの入構者数とに基づいて入構者数表示画面４８のデータを生成する。
【００６５】
（ステップＳ１７）
表示装置２０２は、画像データ生成部２０６が生成した入構者数表示画面４８のデータに基づいて、入構者数表示画面４８を表示する。入構者数表示画面４８は、図１７に示されている。入構者数表示画面４８は、本日の日付けと本日の入構者数の総数とを表示する領域９１６と、会社ごとの入構者数を表示する領域９１７と、「印刷」ボタン８３０と、「閉じる」ボタン８３１とを含んでいる。
【００６６】
情報処理装置２は、必要に応じて警告を発することも可能である。次に、情報処理装置２が発する警告について図２４に示されたフローチャートを用いて説明する。
【００６７】
図２４は、ステップＳ１〜３、及び、ステップＳ２１〜２７を示している。ここで、ステップＳ２１〜２７は、健康診断の受診を促すべき者又は入構基準を満たしていない者がいることについて警告をするステップである。
【００６８】
ステップＳ１〜３を実行したのち、ステップＳ２１に進む。
【００６９】
（ステップＳ２１）
検出部２０８は、個人情報テーブル３３に含まれる個人情報データの各々について、情報３０７が示す受診日を検出する。ここでは、個人情報データ３３４を例として用いて説明する。個人情報データ３３４の情報３０７は平成１７年５月１日を示している。
【００７０】
（ステップＳ２２）
通知期間設定部２１０は、ステップＳ２１で検出された受診日に基づいて第１期間を定める。すなわち第１期間の初日を受診日と同日の平成１７年５月１日とする。このとき第１期間の長さは通知期間設定データ３７に記憶されているように１年間であるから、第１期間は平成１７年５月１日から平成１８年４月３０日までの期間に設定される。
【００７１】
（ステップＳ２３）
通知期間設定部２１０は、第２期間の末日を第１期間の末日と同日とすることで第２期間を定める。第２期間の長さは通知期間設定データ３７に記憶されているように１ヶ月であるから、第２期間は、平成１８年４月１日から平成１８年４月３０日までの期間に設定される。
【００７２】
（ステップＳ２４）
通知期間設定部２１０は、第３期間の初日を第２期間の初日と同日とすることで第３期間を定める。第３期間の長さは通知期間設定データ３７に記憶されているように３日間であるから、警告を発するべき通知期間としての第３期間は、平成１８年４月１日から４月３日までの期間に設定される。
【００７３】
（ステップＳ２５）
判定部２０９は、日付け出力部２０５が出力した本日の日付けを示す情報を受信し、本日がステップＳ２４で設定された第３期間に含まれるか否かを判定する。したがって、判定部２０９は、個人情報データ３３４の情報３０７が示す受診日に基づいて定められた第３期間に本日（平成１８年４月３日）が含まれることを判定する。
【００７４】
（ステップＳ２６）
判定部２０９は、個人情報テーブル３３に含まれる個人情報データの各々について、入構基準データ３８に登録されている入構基準を満たすか否かを判定する。すなわち、情報３０２が示す年齢が入構基準情報３８１に定められた範囲に含まれるか否か、情報３０８が示す血圧が入構基準情報３８２に定められた範囲に含まれるか否か、情報３０９が示す視力が入構基準情報３８３に定められた範囲に含まれるか否か、情報３１０が示す握力が入構基準情報３８４に定められた範囲に含まれるか否か、情報３１１が示す聴力が入構基準情報３８５に定められた範囲に含まれるか否かを、それぞれ判定する。以下、個人情報データ３３４の情報３０８が入構基準情報３８２の範囲に含まれないものとして説明する。
【００７５】
（ステップＳ２７）
ステップＳ２５において本日が第３期間に含まれると判定された個人情報データが存在する場合、又は、ステップＳ２６において年齢、血圧、視力、握力、聴力のいずれかが入構基準データ３８に定められた範囲内に含まれないと判定された個人情報データが存在する場合には、表示装置２０２は、警告を表示する領域９２２と共にメニュー画面４２を表示する。このときのメニュー画面４２が図１８に示されている。メニュー画面４２は「警告確認」ボタン８３２を含んでいる。
【００７６】
ここで、タッチパネル２０１がボタン８３２への接触を検出すると、表示装置２０２は、警告確認画面４９を表示する。警告確認画面４９は図１９に示されている。警告確認画面４９は、「健康診断」ボタン８３３と、「入構判定」ボタン８３４と、「メニュー」ボタン８３５と、「閉じる」ボタン８３６とを含んでいる。
【００７７】
タッチパネル２０１がボタン８３３への接触を検出すると、表示装置２０２は健康診断の受診を促すべき者を表示する画面５０を表示する。健康診断の受診を促すべき者を表示する画面５０は図２０に示されている。健康診断の受診を促すべき者を表示する画面５０は、健康診断の受診を促すべき者の氏名を表示する領域９１８と、領域９１８に氏名が表示された者が最後に受診した健康診断の受診日を表示する領域９１９と、「詳細」ボタン８３７と、「次へ」ボタン８３８と、「印刷」ボタン８３９と、「メニュー」ボタン８４０と、「閉じる」ボタン８４１とを含んでいる。領域９１８は、ステップＳ２５において受診日が第３期間に含まれると判定された個人情報データ３３４の情報３０１に基づいて氏名「□□□□」を表示する。領域９１９は、個人情報データ３３４の情報３０７に基づいて受診日「Ｈ１７．５．１」を表示する。ここで、タッチパネル２０１がボタン８３７への接触を検出すると、表示装置２０２は、個人情報データ３３４が示す個人情報を図１１に示された個人情報表示画面４４のように表示する。
【００７８】
表示装置２０２が警告確認画面４９を表示しているときにタッチパネル２０１が「入構判定」ボタン８３４への接触を検出すると、表示装置２０２は入構判定検索画面５１を表示する。入構判定検索画面５１は図２１に示されている。入構判定検索画面５１は、「年齢」ボタン８４２と、「血圧」ボタン８４３と、「視力」ボタン８４４と、「握力」ボタン８４５と、「聴力」ボタン８４６と、「印刷」ボタン８４７と、「メニュー」ボタン８４８と、「閉じる」ボタン８４９とを含んでいる。ここで、ボタン８４２〜８４６のうち、ステップＳ２６において入構基準データ３８に定められた入構基準を満たさないと判定された個人情報データが存在する項目を表示しているボタンは赤色で表示され、ステップＳ２６において入構基準を満たさないと判定された個人情報データが存在しない項目を表示しているボタンは青色で表示される。個人情報データ３３４の情報３０８が示す血圧の数値が入構基準情報３８２の範囲に含まれないため、「血圧」ボタン８４３は赤色で表示される。
【００７９】
タッチパネル２０１がボタン８４３への接触を検出すると、表示装置２０２は入構判定画面５２を表示する。入構判定画面５２は図２２に示されている。入構判定画面５２は、個人情報データ３３４の情報３０１が示す氏名を表示する領域９２０と、個人情報データ３３４の情報３０８が示す血圧の数値を表示する領域９２１と、「詳細」ボタン８５０と、「次へ」ボタン８５１と、「印刷」ボタン８５２と、「メニュー」ボタン８５３と、「閉じる」ボタン８５４とを含んでいる。ここで、タッチパネル２０１がボタン８５０への接触を検出すると、表示装置２０２は個人情報データ３３４が示す個人情報を図１１に示された個人情報表示画面４４のように表示する。
【００８０】
なお、管理システム１においては、表示装置２０２がメニュー画面４２を表示しているときにタッチパネル２０１が「作業者一覧」ボタン８０４への接触を検出した場合には、タッチパネル２０１は、入構者数表示画面４８を表示してもよく、月ごとの出勤記録を示す画面を表示してもよい。
【００８１】
また、表示装置２０２がメニュー画面４２を表示しているときにタッチパネル２０１が「作業終了」ボタン８０６への接触を検出した場合には、検出部２０８は、日付け出力部２０５が出力する本日の日付けを示す情報に基づき、入構者管理テーブル３４を参照して出勤日情報３４２が本日を示す入構者管理データ３４０を検出する。画面データ生成部２０６は、検出された入構者管理データ３４０の氏名情報３４１が示す氏名を含む作業終了登録画面のデータを生成する。表示装置２０２が作業終了登録画面を表示すると、本日出勤した者の氏名だけが表示される。
【図面の簡単な説明】
【００８２】
【図１】図１は、本発明の実施形態に係る管理システムを示す図である。
【図２】図２は、情報処理装置のブロック図である。
【図３】図３は、個人情報データのデータ構成を示す図である。
【図４】図４は、アクセス権設定データのデータ構成を示す図である。
【図５】図５は、入構者管理データのデータ構成を示す図である。
【図６】図６は、通知期間設定データのデータ構成を示す図である。
【図７】図７は、入構基準データのデータ構成を示す図である。
【図８】図８は、初期画面を示す図である。
【図９】図９は、メニュー画面を示す図である。
【図１０】図１０は、出勤・昼食登録画面を示す図である。
【図１１】図１１は、個人情報表示画面を示す図である。
【図１２】図１２は、類似災害検索画面を示す図である。
【図１３】図１３は、類似災害表示画面を示す図である。
【図１４】図１４は、体制表作成画面を示す第１の図である。
【図１５】図１５は、体制表作成画面を示す第２の図である。
【図１６】図１６は、体制表作成画面を示す第３の図である。
【図１７】図１７は、入構者数表示画面を示す図である。
【図１８】図１８は、メニュー画面上に警告が表示された状態を示す図である。
【図１９】図１９は、警告確認画面を示す図である。
【図２０】図２０は、健康診断の受診を促すべき者を表示する画面を示す図である。
【図２１】図２１は、入構判定検索画面を示す図である。
【図２２】図２２は、入構判定画面を示す図である。
【図２３】図２３は、本発明の実施形態に係る管理方法を示す第１のフローチャートである。
【図２４】図２４は、本発明の実施形態に係る管理方法を示す第２のフローチャートである。
【符号の説明】
【００８３】
１…管理システム
２…情報処理装置
３…ＲＦＩＤ読み取り装置
４…プリンタ
５…責任者カード
６…保護帽
７…ＲＦＩＤチップ
２０…タッチパネルディスプレイ
２１…記憶装置
２０１…タッチパネル
２０２…表示装置
２０３…制御部
２０４…認証部
２０５…日付け出力部
２０６…画像データ生成部
２０７…安全衛生管理体制表データ生成部
２０８…検出部
２０９…判定部
２１０…通知期間設定部
３０…プログラム
３２…アクセス権設定テーブル
３３…個人情報テーブル
３４…入構者管理テーブル
３５…類似災害データ
３６…安全衛生管理体制表データ
３７…通知期間設定データ
３８…入構基準データ
３０１〜３１１…情報
３３１〜３３４…個人情報データ
３２０…アクセス権設定データ
３２１…登録識別情報
３２２…アクセス許可情報
３４０…入構者管理データ
３４１…氏名情報
３４２…出勤日情報
３４３…弁当注文情報
３７１〜３７３…情報
３８１〜３８５…入構基準情報
４１…初期画面
４２…メニュー画面
４３…出勤・昼食登録画面
４４…個人情報表示画面
４５…類似災害検索画面
４６…類似災害表示画面
４７…体制表作成画面
４８…入構者数表示画面
４９…警告確認画面
５０…健康診断の受診を促すべき者を表示する画面
５１…入構判定検索画面
５２…入構判定画面
８０１〜８５４…ボタン
９０１〜９２２…領域
【図１】
2007310699.tif 000003
【図２】
2007310699.tif 000004
【図３】
2007310699.tif 000005
【図４】
2007310699.tif 000006
【図５】
2007310699.tif 000007
【図６】
2007310699.tif 000008
【図７】
2007310699.tif 000009
【図８】
2007310699.tif 000010
【図９】
2007310699.tif 000011
【図１０】
2007310699.tif 000012
【図１１】
2007310699.tif 000013
【図１２】
2007310699.tif 000014
【図１３】
2007310699.tif 000015
【図１４】
2007310699.tif 000016
【図１５】
2007310699.tif 000017
【図１６】
2007310699.tif 000018
【図１７】
2007310699.tif 000019
【図１８】
2007310699.tif 000020
【図１９】
2007310699.tif 000021
【図２０】
2007310699.tif 000022
【図２１】
2007310699.tif 000023
【図２２】
2007310699.tif 000024
【図２３】
2007310699.tif 000025
【図２４】
2007310699.tif 000026